(57)【特許請求の範囲】
【請求項１】
材質の異なる２つの部材を、その一方の部材の表面から端縁部分にかけて保護する受皿状のシートを介して互いに固着させる連結構造体であって、
前記連結構造体は、前記受皿状のシートに、この受皿状のシートの表裏を貫通する開口を設け、当該受皿状のシートの表裏いずれか一方に、この開口の領域から露出して一方の部材に固着すると共に、少なくとも該受皿状のシートの開口を除く領域で他方の部材に固着して、２つの部材を連結する接着層を配設してなるものであることを特徴とする連結構造体。
【請求項２】
前記接着層は、水溶性の粘着剤からなるものである、請求項１に記載の連結構造体。
【請求項３】
前記接着層は、ベース層とこのベース層を両側に挟む粘着層からなり、該粘着層のうちの少なくとも一方が水溶性の粘着剤からなるものである、請求項１に記載の連結構造体。
【請求項４】
ベース層は、吸水性のある材料若しくは水溶性の材料のうちの少なくとも１つよりなるものである、請求項２または３記載の連結構造体。
【請求項５】
前記水溶性の粘着層は、ポリビニルアルコールを主成分とするものである、請求項２乃至４のいずれか１項に記載の連結構造体。
【請求項６】
化粧料を収納する合成樹脂製の容器本体と、この容器本体に一体的に取り付けられる鏡等の異質部材とを、当該異質部材の表面から端縁部分にかけて保護する受皿状のシートを介して互いに固着させる連結構造体を備える化粧料容器であって、
該連結構造体は、前記受皿状のシートに、この受皿状のシートの表裏を貫通する開口を設け、当該受皿状のシートの表裏いずれか一方に、この開口の領域から露出して前記容器本体又は前記異質部材の一方に固着すると共に、少なくとも該受皿状のシートの開口を除く領域で前記容器本体又は前記異質部材の他方に固着して、前記容器本体および前記異質部材を連結する接着層を配設してなるものであることを特徴とする化粧料容器。
【請求項７】
前記接着層は、水溶性の粘着剤からなるものである、請求項６に記載の化粧料容器。
【請求項８】
前記接着層は、ベース層とこのベース層を両側に挟む粘着層からなり、該粘着層のうちの少なくとも一方が水溶性の粘着剤からなるものである、請求項６に記載の化粧料容器。
【請求項９】
前記ベース層は、吸水性のある材料若しくは水溶性の材料のうちの少なくとも１つよりなるものである請求項７または８記載の化粧料容器。
【請求項１０】
前記水溶性の粘着層は、ポリビニルアルコールを主成分とするものである、請求項７乃至９のいずれか１項に記載の化粧料容器。
【発明の詳細な説明】
【０００１】
【発明の属する技術分野】
本発明は、プラスチックと、鏡、ガラスあるいは金属材など異質のものとを相互に接続する連結構造体と、この連結構造体を備えた化粧料容器に関し、使用後の廃棄に際して異質な２つの部材を安全かつ簡便な手法でもって相互に分離し、確実な分別回収を実現しようとするものである。
【０００２】
【従来の技術】
異質な２つの部材を相互に組合せたものとしては、プラスチックからなる筐体に鏡を貼り合わせた手鏡や装飾として金属プレートを用いた化粧用コンパクト容器あるいは口紅を収納するケース等が知られており、この他にも日用品や家庭用品に数多く見られる。
【０００３】
これらのものは、ベース材の両面に粘着層を有する両面テープやホットメルトによって固着されているのが普通である。
【０００４】
ところで、近年、資源の有効活用を図る観点から、分別回収の要請が高まるなかで、例えば、合成樹脂製の容器本体と、鏡やガラスなどの異質部材との相互間を固着した化粧料容器につき、それらの異質部材同士を分離して廃棄する必要がある。
【０００５】
特に、鏡やガラス等のようにその端縁が肉薄な形状においては、それらを安全に取り離すのは困難である。そこで、この問題に対応すべく、鏡やガラスなどの表面から端縁部分までを保護する受皿状のシートを両側から粘着層で挟んだ連結構造体を介して、合成樹脂製の容器本体と、鏡やガラスなどの異質部材とを一体に固着する技術が、先に本願出願人によって提案されている。
【０００６】
ところで、先に提案した連結構造体は、受皿状のシートの表裏両面の２ヶ所に両面テープまたは接着剤などの接着層を設けたものであり、こうした連結構造体により、容器本体および異質部材を受皿状のシートと共に一体に固着していた。
【０００７】
しかしながら、こうした連結構造体は、受皿状のシートの表裏両面の２ヶ所に接着層を設けるため、接着層となる両面テープまたは接着剤などを設ける作業が煩雑になるという不都合があり、加えて、両面テープまたは接着剤などの種類によっては、容器本体、受皿状のシート、鏡をそれぞれ分離しにくいという不都合があった。
【０００８】
【発明が解決しようとする課題】
本発明の解決すべき課題は、材質の異なる２つの部材同士を安全かつ簡単に分離して分別回収でき、しかも、取り付け作業が簡便な連結構造体とその連結構造体を備えた化粧料容器を提供するところにある。
【０００９】
【課題を解決するための手段】
第１発明に係る連結構造体は、材質の異なる２つの部材を、その一方の部材の表面から端縁部分にかけて保護する受皿状のシートを介して互いに固着させる連結構造体であって、前記連結構造体は、前記受皿状のシートに、この受皿状のシートの表裏を貫通する開口を設け、当該受皿状のシートの表裏いずれか一方に、この開口の領域から露出して一方の部材に固着すると共に、少なくとも該受皿状のシートの開口を除く領域で他方の部材に固着して、２つの部材を連結する接着層を配設してなるものであることを特徴とするものである。
【００１０】
第２発明に係る連結構造体は、上記第１発明において、接着層は、水溶性の粘着剤からなるものであることが好ましい。
【００１１】
第３発明に係る連結構造体は、上記第１発明において、接着層は、ベース層とこのベース層を両側に挟む粘着層からなり、該粘着層のうちの少なくとも一方が水溶性の粘着剤からなるものであることが好ましい。
【００１２】
第４発明に係る連結構造体は、上記第２発明または第３発明において、ベース層は、吸水性のある材料若しくは水溶性の材料のうちの少なくとも１つよりなるものであることが好ましい。
【００１３】
第５発明に係る連結構造体は、水溶性の粘着層は、上記第２発明乃至第４発明のいずれか一発明において、ポリビニルアルコールを主成分とするものであることが好ましい。
【００１４】
第６発明に係る化粧料容器は、化粧料を収納する合成樹脂製の容器本体と、この容器本体に一体的に取り付けられる鏡等の異質部材とを、当該異質部材の表面から端縁部分にかけて保護する受皿状のシートを介して互いに固着させる連結構造体を備える化粧料容器であって、連結構造体は、受皿状のシートに、この受皿状のシートの表裏を貫通する開口を設け、当該受皿状のシートの表裏いずれか一方に、この開口の領域から露出して前記容器本体又は前記異質部材の一方に固着すると共に、少なくとも該受皿状のシートの開口を除く領域で前記容器本体又は前記異質部材の他方に固着して、容器本体および異質部材を連結する接着層を配設してなるものであることを特徴とするものである。
【００１５】
第７発明に係る化粧料容器は、上記第６発明において、接着層は、水溶性の粘着剤からなるものであることが好ましい。
【００１６】
第８発明に係る化粧料容器は、上記第６発明において、接着層は、ベース層とこのベース層を両側に挟む粘着層からなり、この粘着層のうちの少なくとも一方が水溶性の粘着剤からなるものであることが好ましい。
【００１７】
第９発明に係る化粧料容器は、上記第７発明または第８発明において、ベース層は、吸水性のある材料若しくは水溶性の材料のうちの少なくとも１つよりなるものであることが好ましい。
【００１８】
第１０発明に係る化粧料容器は、上記第７発明乃至第９発明のいずれか一発明において、水溶性の粘着層は、ポリビニルアルコールを主成分とするものであることが好ましい。
【００１９】
なお第１発明〜１０発明に係る連結構造体において、連結構造体が受皿状シートの開口の領域から露出した接着層によって一方の部材と固着すると共に該受皿状のシートの開口を除く領域から露出した接着層によって他方の部材と固着する場合は勿論、連結構造体が受皿状シートの開口の領域から露出した接着層によって一方の部材と固着すると共に該受皿状のシートの開口の領域およびそれ以外を含めた領域から露出した接着層によって他方の部材と固着する場合も含むものとする。
【００２０】
【発明の実施の形態】
以下、図面を参照して本発明をより具体的に説明する。
図１は、本発明に従う化粧料容器を開放状態で示す外観斜視図、図２はその収納状態を一部断面で示す外観斜視図である。また図３（ａ）は、連結構造体１を図１の化粧料容器に採用した際の断面図であり、図３（ｂ）は、図３（ａ）の領域Ａを示す要部拡大図である。さらに図４は、本発明に従う連結構造体１を図１の化粧料容器に採用した際の分解図である。
【００２１】
化粧料容器の容器本体１は、例えばプラスチックの如き合成樹脂からなるものであり、図１に示す如く、化粧料を収納する収納部２と、この収納部２にヒンジ２ａを介して揺動可能に連結する蓋体３からなっている。また、符号４は、蓋体３の裏面に配置した例で示した異質部材としての鏡である。
【００２２】
連結構造体１０は、図４に示す如く、鏡４の裏側表面４ｆbから端縁部分にかけて保護する受皿状のシート１１に、この受皿状のシート１１の表裏を貫通する開口１１ｈを設け、この開口１１ｈを通して蓋体３および鏡４を連結する接着層１２を配設してなるものである。
【００２３】
具体的に、受皿状のシート１１は、例えば、ポリエチレンテレフタレートからなる透明な合成樹脂製であって、図４に示す如く、シート１１の中心付近に開口１１ｈが形成された極薄肉な波形フィルムである。受皿状のシート１１はまた、鏡４の裏側表面４ｆbから端縁部分４ｅにかけて保護する枠１１ｗを有し、この枠１１ｗの縁周りの一部には、使用者が指先で保持可能な取っ手１１ｐが形成されている。
【００２４】
接着層１２は、図３（ｂ）に示す如く、ベース層１３と、このベース層１３を両側に挟む粘着層１４ａ，１４ｂとを備え、このうち、粘着層１４ａは水溶性の粘着剤からなる。なお、粘着層１４ａ，１４ｂは、そのうちの少なくとも一方が水溶性の粘着剤であればよく、別の形態として、水溶性の粘着剤を粘着層１４ａに置き換えたり、粘着層１４ａ，１４ｂの両方を水溶性の粘着剤としてもよい。
【００２５】
ベース層１３としては、水が全く浸透しないＰＥＴ樹脂やポリプロピレン等のフィルム材料が使用できるが、水が浸透しやすい多孔質材、スポンジ材、紙、不織布あるいは布などの吸水性の高い材料を使用したり、水溶性の紙やフィルム等の水溶性の材料を使用することも可能であり、このようなベース層によれば、水がベース層を通して粘着層１４ｂに浸透していき、この粘着層１４ｂの溶解が促進され、短時間で鏡４を受皿状のシート１１と共に分離することができる。
【００２６】
連結構造体１０は、蓋体３に鏡４を固着させる際、受皿状のシート１１の開口１１ｈから露出した接着層１２の粘着層１４ａによって鏡４を固着させる一方、接着層１２の水溶性粘着剤１４ｂによって蓋体３を固着させる。なお、蓋体３と接着層１２との関係は、図３（ａ）に示す如く、開口１１ｈを除く領域Ｘに露出した水溶性粘着剤１４ｂによって蓋体３を固着させる以外にも、開口１１ｈの領域およびそれ以外を含めた領域Ｘ，Ｙに露出した水溶性粘着剤１４ｂによって蓋体３に固着させてもよい。
【００２７】
このため、連結構造体１０は、受皿状のシート１１の表裏を貫通する開口１１ｈを設け、当該受皿状のシート１１の裏面（蓋体３側）に配設した接着層１２が、この開口１１ｈの領域から露出して鏡４に固着すると共に該受皿状のシート１１の開口１１ｈを除く領域で蓋体３に固着することで、材質の異なる蓋体３および鏡４を受皿状のシート１１を介して一体に固着することができる。従って、連結構造体１０によれば、従来技術の如く、受皿状シート１１の表裏両面の２ヶ所に接着層１２を設ける必要がなくなるため、接着層１２を設ける作業が簡便になり生産効率の改善を図ることができる。
【００２８】
ところで、上掲図１に示したような構成になる化粧料容器においては、その化粧料容器を分別廃棄するため、蓋体３から鏡４を取り外すには、連結構造体１０に水溶性の粘着層１４ｂを溶解させる液体（一般的には水）を適量かけるか、あるいは連結構造体１０そのものを水に浸す。
【００２９】
そうすると、水が受皿状のシート１１と水溶性粘着層１４ｂとの間から水溶性粘着層１ｂへ浸透することにより、粘着層１４ｂがしだいに溶けていき、受皿状のシート１１と蓋体３とは簡単に分離することになる。このため、使用者は、取っ手１１ｐを保持して受皿状のシート１１と共に鏡４を引き上げることにより、鏡４を蓋体３から安全かつ容易に取り外すことができる。
【００３０】
なお蓋体３には、図３（ａ），（ｂ）に示す如く、受皿状のシート１１とのあわせ面３ｆに水の通路３ｒを形成しておくことが好ましい。この場合、水溶性粘着層１４ｂに水などの液体が浸透しやすくなるため、蓋体３から鏡４および受皿状のシート１１をさらに素早く簡単に分離できる。また図示しないが、受皿状のシート１１やベース層１３に凹凸を設けて水の通路を形成することも可能である。
【００３１】
つまり連結構造体１０は、受皿状のシート１１の表裏を貫通する開口１１ｈを通して接着層１２を配設したことから、図３（ａ）に示す如く、接着面積が小さく抑えられるため、蓋体３、鏡４、受皿状のシート１１をそれぞれ、安全かつ簡単に分離することができる。従って連結構造体１０によれば、種類の異なる部材の分別回収を安全かつ簡単に行うことが可能となり資源の有効活用が図れる。特に受皿状のシート１１は、鏡４を該鏡４の裏表面４ｆbから端縁部分４ｅにかけて保護するものであるから、鏡４の端縁部分４ｅが肉薄な形状であっても、安全に取り外すことができる。
【００３２】
特に本実施形態では、粘着層１４ｂが水溶性の粘着剤からなるものであるから、水などの液体を使用することにより、２つの部材を簡単に分離することができるので、廃棄物の処理が容易になる。
【００３３】
また他の実施形態として、接着層１２は、本実施形態の如く、ベース層１３と、このベース層１３を両側に挟む粘着層１４ａ，１４ｂからなるものではなく、既成の粘着剤または水溶性の粘着層だけからなるものであってもよい。特に接着層１２が水溶性の粘着層からなるものである場合は、水などの液体を使用することにより、２つの部材を簡単に分離することができるので、廃棄物の処理が容易になる。しかも、この場合は、接着層１２が水溶性の粘着剤からなる簡単な構造で済むため、コストを低く抑えることができる。
【００３４】
さらに連結構造体１０は、他の実施形態として図５の如く、開口１１ｈの領域Ｙから露出した接着層１２によって蓋体３および鏡４を連結したものでもよい。この場合、蓋体３および鏡４との接着面積が必要最小限に抑えられるため、蓋体３、鏡４、受皿状のシート１１をそれぞれ、最も簡単に分離することができる。なお、接着層１２は、本実施形態の如く、ベース層とこのベース層を両側に挟む粘着層からなるもの、或いは、２つの粘着層のうちの少なくとも一方が水溶性粘着剤からなるもの、さらには、既成の粘着剤または水溶性粘着剤のみからなるものであってもよい。
【００３５】
さらに水溶性の粘着層については、例えば、ＰＶＡ（ポリビニルアルコール）を主成分とする粘着剤が挙げられる。なお、水溶性の粘着層１４ｂについては、とくに水溶性のものであれば上記成分に限定されることはない。
【００３６】
上述したところは、本発明の好適な実施形態を示したに過ぎず、当業者によれば、請求の範囲において、種々の変更を加えることができ、例えば、本発明の連結構造体１０は、鏡以外にも、ガラスや金属などの異質部材を取り付ける際に使用してもよい。
【００３７】
【発明の効果】
第１発明に係る連結構造体は、受皿状のシートの表裏を貫通する開口を設け、当該受皿状のシートの表裏いずれか一方に配設した接着層が、この開口の領域から露出して一方の部材に固着すると共に、少なくとも該受皿状のシートの開口を除く領域で他方の部材に固着することで、材質の異なる２つの部材を受皿状のシートを介して固着することができる。従って第１発明によれば、受皿状シートの表裏両面の２ヶ所に接着層を設ける必要がなくなるため、接着層を設ける作業が簡便になり生産効率の改善を図ることができる。
【００３８】
加えて第１発明は、受皿状のシートの表裏を貫通する開口を通して接着層を配設したことから、接着面積が小さく抑えられるため、材質の異なる２つの部材および受皿状のシートをそれぞれ、安全かつ簡単に分離することができる。従って第１発明によれば、種類の異なる部材の分別回収を安全かつ簡単に行うことが可能となり資源の有効活用が図れる。
【００３９】
第２発明によれば、上記第１発明において、接着層は、水溶性の粘着剤からなるものであるから、水などの液体を使用することにより、２つの部材を簡単に分離することができるので、廃棄物の処理が容易になる。しかも、接着層が簡単な構造で済むため、コストを低く抑えることができる。
【００４０】
第３発明によれば、上記第１発明において、接着層は、ベース層とこのベース層を両側に挟む粘着層からなり、該粘着層のうちの少なくとも一方が水溶性の粘着剤からなるものであるから、水などの液体を使用することにより、２つの部材を簡単に分離することができるので、廃棄物の処理が容易になる。
【００４１】
第４発明によれば、上記第３発明において、ベース層は、吸水性のある材料若しくは水溶性の材料のうちの少なくとも１つよりなるものであるから、２つの部材を簡単に分離することができるので、廃棄物の処理が容易になる。
【００４２】
特に本発明に係る連結構造体を化粧料容器に用いれば、その効果が最も顕著に得られる。
【図面の簡単な説明】
【図１】  本発明に従う化粧料容器を開放状態で示す外観斜視図である。
【図２】  同化粧料容器の収納状態を一部断面で示す外観斜視図である。
【図３】  （ａ）は、本発明に従う連結構造体を図１の化粧料容器に採用した際の断面図であり、（ｂ）は、（ａ）の領域Ａを示す要部拡大図である。
【図４】  本発明に従う連結構造体を図１の化粧料容器に採用した際の分解図である。
【図５】  本発明に従う連結構造体の他の実施形態を図１の化粧料容器に採用した際の断面図である。
【符号の説明】
１  化粧料容器
２  収納部
２ａ  ヒンジ
３  蓋体（容器本体）
４  鏡
１０  連結構造体
１１  受皿状のシート
１１ｈ  開口
１１ｐ  取っ手
１１ｗ  枠
１２  接着層
１３  ベース層
１４ａ  粘着層
１４ｂ  水溶性粘着層
【図１】
0004191392.tif 000002
【図２】
0004191392.tif 000003
【図３】
0004191392.tif 000004
【図４】
0004191392.tif 000005
【図５】
0004191392.tif 000006